(57)【要約】  コンテンツ出力システム（１００）は、可搬型のコンテンツ送信装置（１１０）から送信されたコンテンツデータを、少なくとも１つ以上のコンテンツ出力装置（１２０）で出力する。コンテンツ送信装置（１１０）において、送信部（１１１）は、自装置の近傍にある第１のコンテンツ出力装置（１２０ａ）にコンテンツデータを送信する。検出部（１１２）は、第１のコンテンツ出力装置（１２０ａ）にコンテンツデータを送信している状態において、自装置の可搬に伴い第２のコンテンツ出力装置（１２０ｂ）が自装置の近傍になったことを検出する。送信部（１１１）は、第２のコンテンツ出力装置（１２０ｂ）が検出された場合、第１のコンテンツ出力装置（１２０ａ）と第２のコンテンツ出力装置（１２０ｂ）とから同じタイミングでコンテンツデータが出力されるようにコンテンツデータを送信する。
2010095264.tif 000002
【特許請求の範囲】
【請求項１】
コンテンツ出力装置に対してコンテンツデータを送信する可搬型のコンテンツ送信装置であって、
自装置の近傍にあるコンテンツ出力装置にコンテンツデータを送信する送信手段と、
前記コンテンツデータを前記コンテンツ出力装置に送信している状態において、自装置の可搬に伴い前記コンテンツ出力装置とは異なる他のコンテンツ出力装置が自装置の近傍になったことを検出する検出手段と、を備え、
前記送信手段は、前記検出手段によって前記他のコンテンツ出力装置が自装置の近傍になったと検出された場合、前記コンテンツ出力装置と前記他のコンテンツ出力装置とから出力される前記コンテンツデータの出力タイミングが同じとなるように前記コンテンツ出力装置と前記他のコンテンツ出力装置とに前記コンテンツデータを送信することを特徴とするコンテンツ送信装置。
【請求項２】
前記検出手段は、前記他のコンテンツ出力装置から発振される信号を受信して前記他のコンテンツ出力装置を検出することを特徴とする請求項１に記載のコンテンツ送信装置。
【請求項３】
前記検出手段は、前記コンテンツ出力装置および前記他のコンテンツ出力装置からの前記信号を受信し、
前記送信手段は、前記信号の受信強度が所定強度以下となった前記コンテンツ出力装置または前記他のコンテンツ出力装置へのコンテンツデータの送信を停止することを特徴とする請求項１または２に記載のコンテンツ送信装置。
【請求項４】
自装置の現在位置の属性を検知する検知手段と、
前記検知手段による検知結果に基づいて、前記コンテンツデータを優先的に送信するコンテンツ出力装置（以下、「優先コンテンツ出力装置」という）を選択する選択手段と、を備え、
前記送信手段は、前記優先コンテンツ出力装置に対してのみ前記コンテンツデータを送信することを特徴とする請求項１に記載のコンテンツ送信装置。
【請求項５】
前記検知手段は、自装置の現在位置が家屋内であることを検知し、
前記選択手段は、前記家屋内に設置された前記コンテンツ出力装置を前記優先コンテンツ出力装置として選択することを特徴とする請求項４に記載のコンテンツ送信装置。
【請求項６】
前記検知手段は、自装置の現在位置が家屋内の所定の部屋であることを検知し、
前記選択手段は、前記所定の部屋内に設置された前記コンテンツ出力装置を前記優先コンテンツ出力装置として選択することを特徴とする請求項４に記載のコンテンツ送信装置。
【請求項７】
前記検知手段は、自装置の現在位置が車両内であることを検知し、
前記選択手段は、前記車両内に設置された前記コンテンツ出力装置を前記優先コンテンツ出力装置として選択することを特徴とする請求項４に記載のコンテンツ送信装置。
【請求項８】
可搬型のコンテンツ送信装置から送信されたコンテンツデータを、少なくとも１つ以上のコンテンツ出力装置で出力するコンテンツ出力システムであって、
前記コンテンツ送信装置は、
自装置の近傍にある前記コンテンツ出力装置にコンテンツデータを送信する送信手段と、
前記コンテンツデータを前記コンテンツ出力装置に送信している状態において、自装置の可搬に伴い前記コンテンツ出力装置とは異なる他のコンテンツ出力装置が自装置の近傍になったことを検出する検出手段と、を備え、
前記送信手段は、前記検出手段によって前記他のコンテンツ出力装置が自装置の近傍になったと検出された場合、前記コンテンツ出力装置と前記他のコンテンツ出力装置とから出力される前記コンテンツデータの出力タイミングが同じとなるように前記コンテンツ出力装置と前記他のコンテンツ出力装置とに前記コンテンツデータを送信し、
前記コンテンツ出力装置は、
前記コンテンツ送信装置によって送信された前記コンテンツデータを受信する受信手段と、
前記受信手段によって受信された前記コンテンツデータを出力する出力手段と、を備えることを特徴とするコンテンツ出力システム。
【請求項９】
コンテンツ出力装置に対してコンテンツデータを送信するコンテンツ送信装置を制御する送信制御方法であって、
前記コンテンツ送信装置の近傍にある第１のコンテンツ出力装置にコンテンツデータを送信する第１の送信工程と、
前記コンテンツデータを前記コンテンツ出力装置に送信している状態において、前記コンテンツ送信装置の可搬に伴い前記第１のコンテンツ出力装置とは異なる第２のコンテンツ出力装置が前記コンテンツ送信装置の近傍になったことを検出する検出工程と、
前記検出工程で前記第２のコンテンツ出力装置が前記コンテンツ送信装置の近傍になったと検出された場合、前記第１のコンテンツ出力装置と前記第２のコンテンツ出力装置とから出力される前記コンテンツデータの出力タイミングが同じとなるように前記第１のコンテンツ出力装置と前記第２のコンテンツ出力装置とに前記コンテンツデータを送信する第２の送信工程と、を含んだことを特徴とする送信制御方法。
【請求項１０】
請求項９に記載の送信制御方法をコンピュータに実行させることを特徴とする送信制御プログラム。
【請求項１１】
請求項１０に記載の送信制御プログラムを記録したことを特徴とするコンピュータに読み取り可能な記録媒体。
【発明の詳細な説明】
【技術分野】
【０００１】
本発明は、コンテンツ出力装置で出力するデータを送信するコンテンツ送信装置、送信制御方法、送信制御プログラムおよび記録媒体に関する。また、本発明は、コンテンツ送信装置から送信されたコンテンツデータをコンテンツ出力装置で出力するコンテンツ出力システムに関する。ただし、本発明の利用は、上述したコンテンツ送信装置、コンテンツ出力システム、送信制御方法、送信制御プログラムおよび記録媒体に限られない。
【背景技術】
【０００２】
従来、ポータブルオーディオプレイヤーや携帯電話端末など可搬型の情報端末に楽曲などのコンテンツデータを格納し、再生する技術が知られている（たとえば、下記特許文献１参照）。このような可搬型の情報端末を用いることによって、ユーザは自宅外や車両内など様々な場所においてコンテンツの視聴を楽しむことができる。また、近年記憶媒体の容量の増大などにより、可搬型の情報端末に格納できるコンテンツデータの種類や量が増加している。このため、ユーザは、より一層「好きなコンテンツを」「好きな時に」楽しむことが可能となっている。【０００３】
たとえば、下記特許文献１では、クレードルに載置されたモバイル機器から、自機の記憶手段に記憶しているコンテンツデータに関するメタデータあるいは自機に関する機器情報を含むサーバ装置宛の送信データを形成し、クレードルを介してサーバ装置に送信する。サーバ装置は、クレードルを介して送信されてくるモバイル機器からの送信データを受信し、この受信した送信データに応じた処理、コンテンツデータの利用処理、コンテンツデータの利用状態の把握処理、モバイル機器の状態の把握処理などをおこなうことにより、モバイル機器とサーバ装置との連携を強化し、モバイル機器等の使い勝手をより向上させている。【０００４】
【特許文献１】特開２００８−２９３６３１号公報
【発明の開示】
【発明が解決しようとする課題】
【０００５】
しかしながら、上記の従来技術では、ユーザがコンテンツを視聴しながら移動する際、ヘッドホンやイヤホンなどのコンテンツ出力装置を常時身につけていなければ、コンテンツの視聴を継続することができないという問題点が一例として挙げられる。たとえば、コンテンツが楽曲の場合、屋外を移動する際にはヘッドホンなどを使用し、自宅では部屋に設置されたスピーカを使用するユーザは多い。この場合、外出から帰宅後、ユーザは情報端末を部屋のスピーカに接続する必要がある。また、コンテンツ視聴中に自宅内の他の部屋に移動する場合は、移動先の部屋に設置されたスピーカに情報端末を接続し直す必要がある。【０００６】
このような作業は、ユーザにとって煩雑であるとともに、コンテンツ視聴に空白時間が生じるため、ユーザの気分を白けさせる可能性がある。すなわち、上記の従来技術では、ユーザにとって快適なコンテンツの視聴環境を提供することができないという問題点が一例として挙げられる。
【課題を解決するための手段】
【０００７】
上述した課題を解決し、目的を達成するため、請求項１の発明にかかるコンテンツ送信装置は、コンテンツ出力装置に対してコンテンツデータを送信する可搬型のコンテンツ送信装置であって、自装置の近傍にあるコンテンツ出力装置にコンテンツデータを送信する送信手段と、前記コンテンツデータを前記コンテンツ出力装置に送信している状態において、自装置の可搬に伴い前記コンテンツ出力装置とは異なる他のコンテンツ出力装置が自装置の近傍になったことを検出する検出手段と、を備え、前記送信手段は、前記検出手段によって前記他のコンテンツ出力装置が自装置の近傍になったと検出された場合、前記コンテンツ出力装置と前記他のコンテンツ出力装置とから出力される前記コンテンツデータの出力タイミングが同じとなるように前記コンテンツ出力装置と前記他のコンテンツ出力装置とに前記コンテンツデータを送信することを特徴とする。【０００８】
また、請求項８の発明にかかるコンテンツ出力システムは、可搬型のコンテンツ送信装置から送信されたコンテンツデータを、少なくとも１つ以上のコンテンツ出力装置で出力するコンテンツ出力システムであって、前記コンテンツ送信装置は、自装置の近傍にある前記コンテンツ出力装置にコンテンツデータを送信する送信手段と、前記コンテンツデータを前記コンテンツ出力装置に送信している状態において、自装置の可搬に伴い前記コンテンツ出力装置とは異なる他のコンテンツ出力装置が自装置の近傍になったことを検出する検出手段と、を備え、前記送信手段は、前記検出手段によって前記他のコンテンツ出力装置が自装置の近傍になったと検出された場合、前記コンテンツ出力装置と前記他のコンテンツ出力装置とから出力される前記コンテンツデータの出力タイミングが同じとなるように前記コンテンツ出力装置と前記他のコンテンツ出力装置とに前記コンテンツデータを送信し、前記コンテンツ出力装置は、前記コンテンツ送信装置によって送信された前記コンテンツデータを受信する受信手段と、前記受信手段によって受信された前記コンテンツデータを出力する出力手段と、を備えることを特徴とする。【０００９】
また、請求項９の発明にかかる送信制御方法は、コンテンツ出力装置に対してコンテンツデータを送信するコンテンツ送信装置を制御する送信制御方法であって、
前記コンテンツ送信装置の近傍にある第１のコンテンツ出力装置にコンテンツデータを送信する第１の送信工程と、前記コンテンツデータを前記コンテンツ出力装置に送信している状態において、前記コンテンツ送信装置の可搬に伴い前記第１のコンテンツ出力装置とは異なる第２のコンテンツ出力装置が前記コンテンツ送信装置の近傍になったことを検出する検出工程と、前記検出工程で前記第２のコンテンツ出力装置が前記コンテンツ送信装置の近傍になったと検出された場合、前記第１のコンテンツ出力装置と前記第２のコンテンツ出力装置とから出力される前記コンテンツデータの出力タイミングが同じとなるように前記第１のコンテンツ出力装置と前記第２のコンテンツ出力装置とに前記コンテンツデータを送信する第２の送信工程と、を含んだことを特徴とする。【００１０】
また、請求項１０の発明にかかる送信制御プログラムは、請求項９に記載の送信制御方法をコンピュータに実行させることを特徴とする。【００１１】
また、請求項１１の発明にかかる記録媒体は、請求項１０に記載の送信制御プログラムをコンピュータに読み取り可能な状態で記録したことを特徴とする。
【図面の簡単な説明】
【００１２】
【図１】図１は、実施の形態にかかるコンテンツ出力システムの機能的構成を示すブロック図である。
【図２】図２は、コンテンツ送信装置によるコンテンツ送信処理の手順を示すフローチャートである。
【図３】図３は、コンテンツ出力装置によるコンテンツ出力処理の手順を示すフローチャートである。
【図４】図４は、実施例にかかるオーディオシステムの概略を示す説明図である。
【図５】図５は、ポータブルオーディオプレイヤーのハードウェア構成を示すブロック図である。
【図６】図６は、音声出力装置のハードウェア構成を示すブロック図である。
【図７】図７は、ポータブルオーディオプレイヤーによる楽曲データ送信処理の手順を示すフローチャートである。
【図８】図８は、音声出力装置による楽曲データ出力処理を示すフローチャートである。
【図９】図９は、ポータブルオーディオプレイヤーによる楽曲データ送信処理の他の手順を示すフローチャートである。
【符号の説明】
【００１３】
１００  コンテンツ出力システム
１１０  コンテンツ送信装置
１１１  送信部
１１２  検出部
１１３  検知部
１１４  選択部
１２０，１２０ａ，１２０ｂ  コンテンツ出力装置
１２１  発振部
１２２  受信部
１２３  出力部
【発明を実施するための最良の形態】
【００１４】
以下に添付図面を参照して、この発明にかかるコンテンツ送信装置、コンテンツ出力システム、送信制御方法、送信制御プログラムおよび記録媒体の好適な実施の形態を詳細に説明する。【００１５】
（実施の形態）
図１は、実施の形態にかかるコンテンツ出力システムの機能的構成を示すブロック図である。実施の形態にかかるコンテンツ出力システム１００は、可搬型のコンテンツ送信装置１１０から送信されたコンテンツデータを、少なくとも１つ以上のコンテンツ出力装置１２０（たとえば、第１のコンテンツ出力装置１２０ａ、第２のコンテンツ出力装置１２０ｂ）で出力する。【００１６】
より詳細には、コンテンツ送信装置１１０は、自装置の近傍にあるコンテンツ出力装置１２０にコンテンツデータを送信するが、コンテンツ送信装置１１０は可搬型であるため、ユーザの移動などに伴って近傍にあるコンテンツ出力装置１２０が変化する場合がある。このような場合、コンテンツ送信装置１１０は、コンテンツデータの出力先を切り替えて、常に自装置の近傍にあるコンテンツ出力装置１２０にコンテンツデータを送信するようにする。これにより、ユーザは、コンテンツの視聴中に移動をしても、近傍にあるコンテンツ出力装置１２０からコンテンツの視聴を継続することができる。【００１７】
コンテンツ送信装置１１０は、具体的には、たとえば携帯型コンテンツ再生装置の本体や携帯電話端末の本体などであり、送信部１１１、検出部１１２、検知部１１３、選択部１１４によって構成される。送信部１１１は、自装置の近傍にあるコンテンツ出力装置１２０にコンテンツデータを送信する。また、送信部１１１は、自装置の近傍に複数のコンテンツ出力装置１２０がある場合、複数のコンテンツ出力装置１２０から同じタイミングでコンテンツデータが出力されるように、複数のコンテンツ送信装置１２０に対してそれぞれコンテンツデータを送信する。【００１８】
送信部１１１は、たとえば、自装置に格納されているコンテンツデータや、コンテンツ提供業者からストリーミングによって配信されるコンテンツデータ、チューナなどによって受信した放送コンテンツのデータをコンテンツ出力装置１２０に送信する。【００１９】
なお、送信部１１１は、複数の無線通信モジュールによって構成されていてもよい。この場合、複数のコンテンツ出力装置１２０に対してコンテンツデータを送信する際には、１つのコンテンツ出力装置１２０に１つの無線通信モジュールを対応させて、１対１でコンテンツデータの送信をおこなう。【００２０】
検出部１１２は、自装置の近傍にあるコンテンツ出力装置１２０を検出する。より詳細には、検出部１１２は、コンテンツ出力装置１２０にコンテンツデータを送信している状態において、自装置の可搬に伴って他のコンテンツ出力装置１２０が自装置の近傍になったことを検出する。具体的には、検出部１１２は、コンテンツ出力装置１２０から発振される信号を受信してコンテンツ出力装置１２０を検出する。【００２１】
検知部１１３は、コンテンツ送信装置１１０の現在位置の属性を検知する。現在位置の属性としては、たとえば、屋外、家屋内、車両内などが挙げられる。また、現在位置が家屋内である場合、家屋内のいずれの部屋にいるかを検知できるようにしてもよい。検知部１１３は、具体的には、たとえば、家屋の入り口やそれぞれの部屋の入り口、車両の入り口に設置された発振器から出力される、属性別の信号を受信することによって、現在位置の属性を検知する。【００２２】
選択部１１４は、検知部１１３による検知結果に基づいて、コンテンツデータを優先的に送信するコンテンツ出力装置（以下、「優先コンテンツ出力装置」という）を選択する。選択部１１４は、たとえば、コンテンツ送信装置１１０が家屋内に位置する場合、家屋内に設置されたコンテンツ出力装置１２０を優先コンテンツ出力装置として選択する。また、たとえば、コンテンツ送信装置１１０が家屋内の所定の部屋に位置する場合、所定の部屋内に設置されたコンテンツ出力装置１２０を優先コンテンツ出力装置として選択する。また、たとえば、コンテンツ送信装置１１０が車両内に位置する場合、車両内に設置されたコンテンツ出力装置１２０を優先コンテンツ出力装置として選択する。【００２３】
また、コンテンツ出力装置１２０は、具体的には、たとえば、ヘッドホンやイヤホン、スピーカ、ディスプレイなどであり、音や画像などユーザの感覚器で視聴可能な形でコンテンツデータを出力する機器である。なお、図１では、２つのコンテンツ出力装置１２０（１２０ａ，１２０ｂ）を図示しているが、コンテンツ出力システム１００においては、２つより多くのコンテンツ出力装置１２０を用いてもよい。【００２４】
コンテンツ出力装置１２０は、発振部１２１、受信部１２２、出力部１２３によって構成される。発振部１２１は、信号を発振する。発振部１２１によって発振される信号は、コンテンツ送信装置１１０による検出のためのみに用いられるものであってもよいし、他の用途に用いられるものであってもよい。また、発振部１２１による信号の発振は、受信部１２２および出力部１２３によるコンテンツデータの受信および出力がおこなわれている間も継続する【００２５】
受信部１２２は、コンテンツ送信装置１１０によって送信されたコンテンツデータを受信する。また、出力部１２３は、受信部１２２によって受信されたコンテンツデータを出力する。【００２６】
つぎに、コンテンツ出力システム１００による処理について説明する。図２は、コンテンツ送信装置によるコンテンツ送信処理の手順を示すフローチャートである。図２のフローチャートは、第１のコンテンツ出力装置１２０ａにコンテンツデータを送信している間に、第２のコンテンツ出力装置１２０ｂへのコンテンツデータの送信を開始する場合の処理の手順を示している。【００２７】
図２のフローチャートにおいて、コンテンツ送信装置１１０は、第１のコンテンツ出力装置１２０ａにコンテンツデータを送信している（ステップＳ２０１）。この間、コンテンツ送信装置１１０の位置はユーザの移動に伴って変化する。コンテンツ送信装置１１０は、第２のコンテンツ出力装置１２０ｂが発振する信号を受信するまでは（ステップＳ２０２：Ｎｏ）、ステップＳ２０１に戻り、第１のコンテンツ出力装置１２０ａへのコンテンツデータの送信を継続する。【００２８】
第２のコンテンツ出力装置１２０ｂが発振する信号を受信すると（ステップＳ２０２：Ｙｅｓ）、コンテンツ送信装置１１０は、第２のコンテンツ出力装置１２０ｂへのコンテンツデータの送信を開始する（ステップＳ２０３）。なお、この間も第１のコンテンツ出力装置１２０ａへのコンテンツデータの送信は継続している。より詳細には、第１のコンテンツ出力装置１２０ａと第２のコンテンツ出力装置１２０ｂとから同じタイミングでコンテンツデータが出力されるように、第１のコンテンツ出力装置１２０ａと第２のコンテンツ出力装置１２０ｂとにコンテンツデータを送信する。また、コンテンツ送信装置１１０は、第１のコンテンツ出力装置１２０ａおよび第２のコンテンツ出力装置１２０ｂが発振する信号を受信する（ステップＳ２０４）。【００２９】
そして、第１のコンテンツ出力装置１２０ａまたは第２のコンテンツ出力装置１２０ｂから受信する信号の受信強度が所定強度以下になったか否かを判断する（ステップＳ２０５）。いずれのコンテンツ出力装置１２０からの受信強度も所定強度以下にならない場合（ステップＳ２０５：Ｎｏ）、そのまま第１のコンテンツ出力装置１２０ａおよび第２のコンテンツ出力装置１２０ｂにコンテンツデータを送信し（ステップＳ２０６）、ステップＳ２０４に戻り、以降の処理をくり返す。【００３０】
一方、いずれかのコンテンツ出力装置１２０からの受信強度が所定強度以下になった場合（ステップＳ２０５：Ｙｅｓ）、コンテンツ送信装置１１０は、受信強度が所定強度以下となったコンテンツ出力装置１２０へのコンテンツデータの送信を停止して（ステップＳ２０７）、本フローチャートによる処理を終了する。【００３１】
つぎに、コンテンツ出力装置１２０側の処理について説明する、図３は、コンテンツ出力装置によるコンテンツ出力処理の手順を示すフローチャートである。図３のフローチャートにおいて、コンテンツ出力装置１２０は、発振部１２１によって信号を発振する（ステップＳ３０１）。このように、信号の発振のみをおこなっている状態を待機状態とする。コンテンツ出力装置１２０は、コンテンツ送信装置１１０から送信されたコンテンツデータを受信するまでは（ステップＳ３０２：Ｎｏ）、ステップＳ３０１に戻り、待機状態を継続する。【００３２】
コンテンツデータを受信すると（ステップＳ３０２：Ｙｅｓ）、コンテンツ出力装置１２０は、受信したコンテンツデータを出力部１２３から出力する（ステップＳ３０３）。なお、この間も発振部１２１による信号の発振は継続している。コンテンツデータが受信できなくなるまでは（ステップＳ３０４：Ｎｏ）、コンテンツ出力装置１２０は、ステップＳ３０３に戻りコンテンツデータの出力を継続する。【００３３】
そして、コンテンツデータの受信ができなくなると（ステップＳ３０４：Ｙｅｓ）、コンテンツ出力装置１２０は待機状態となり、発振部１２１によって信号を発振して（ステップＳ３０５）、本フローチャートによる処理を終了する。【００３４】
以上説明したように、コンテンツ出力システム１００において、コンテンツ送信装置１１０は、コンテンツデータの送信中においても近傍にあるコンテンツ出力装置１２０を検出し、検出されたコンテンツ出力装置１２０に対してコンテンツデータの送信をおこなう。これにより、コンテンツ送信装置１１０が移動しても、近傍にあるコンテンツ出力装置１２０からコンテンツデータの出力を継続させることができる。【００３５】
また、コンテンツ送信装置１１０は、コンテンツ出力装置１２０から発信される信号を受信し、信号の受信強度が所定強度以下になったコンテンツ出力装置１２０へのコンテンツデータの送信を停止する。これにより、コンテンツ送信装置１１０からの距離が遠くなったコンテンツ出力装置１２０へのコンテンツデータの送信を停止し、より近くにあるコンテンツ出力装置１２０にコンテンツデータを送信することができる。【００３６】
また、コンテンツ送信装置１１０は、自装置の現在位置の属性を検知し、現在位置に設置されたコンテンツ出力装置１２０に対してのみコンテンツデータを送信することができる。これにより、必要なコンテンツ出力装置１２０からのみコンテンツデータが出力され、音声などの干渉を防止して、より快適なコンテンツの視聴環境を提供することができる。
【実施例】
【００３７】
以下に、本発明の実施例について説明する。本実施例では、コンテンツ出力システム１００における出力コンテンツを楽曲とし、コンテンツ送信装置１１０としてポータブルオーディオプレイヤーを用い、コンテンツ出力装置１２０としてヘッドホンおよびスピーカを用いた場合の一例について説明する。【００３８】
（オーディオシステム４００の概要）
図４は、実施例にかかるオーディオシステムの概略を示す説明図である。実施例にかかるオーディオシステム４００は、ポータブルオーディオプレイヤー４１０および音声出力装置４２０によって構成される。音声出力装置４２０は、たとえばヘッドホン４２０ａ、スピーカ４２０ｂ，４２０ｃである。【００３９】
ポータブルオーディオプレイヤー４１０は、無線通信が可能なオーディオデバイスである。ポータブルオーディオプレイヤー４１０は、楽曲などのコンテンツデータを記憶、再生し、音声データとして音声出力装置４２０に送信する。ポータブルオーディオプレイヤー４１０から音声出力装置４２０に送信する音声データは、コンテンツ提供事業者のコンテンツサーバからストリーミング配信された楽曲データや、放送波として受信した楽曲データであってもよい。【００４０】
ポータブルオーディオプレイヤー４１０は可搬性を有し、たとえば、自宅内や車両内、市街地など、ユーザの移動に伴ってその位置が変化する。このため、ポータブルオーディオプレイヤー４１０は、自装置の近傍にある音声出力装置４２０を検出し、検出された音声出力装置４２０に対して音声データを送信する。なお、ポータブルオーディオプレイヤー４１０として、携帯電話端末を用いてもよい。【００４１】
音声出力装置４２０は、上述のように、たとえばヘッドホン４２０ａ、スピーカ４２０ｂ，４２０ｃであり、ポータブルオーディオプレイヤー４１０から送信された音声データを音声出力する。音声出力装置４２０は、ポータブルオーディオプレイヤー４１０が自装置の近傍に近づくまでは待機状態にあり、ポータブルオーディオプレイヤー４１０が自装置の近傍に近づき、自装置に対して音声データが送信されると、送信された音声データを出力する。【００４２】
オーディオシステム４００では、たとえばユーザの現在位置が市街地の場合、音声出力装置４２０としてヘッドホン４２０ａを用いて音声データを出力する。また、たとえばユーザの現在位置が自宅内の場合、家庭用のスピーカ４２０ｂを用いて音声データを出力する。なお、図４にはスピーカ４２０ｂとして２つのスピーカのみを図示したが、自宅内の各部屋および各廊下にそれぞれスピーカを設置することによって、自宅内を移動しても途切れることなく楽曲を聴取することが可能となる。また、たとえばユーザの現在位置が車両内の場合、音声出力装置４２０として車両用のスピーカ４２０ｃから音声データを出力する。【００４３】
オーディオシステム４００は、楽曲を出力する音声出力装置４２０を、ユーザの現在位置に合わせて自動的に切り替えることにより、ユーザが移動しても途切れることなく楽曲の聴取を継続させることができる。すなわち、オーディオシステム４００は、ユーザにシームレスな楽曲聴取環境を提供することができる。【００４４】
（ポータブルオーディオプレイヤー４１０のハードウェア構成）
つぎに、ポータブルオーディオプレイヤー４１０のハードウェア構成について説明する。図５は、ポータブルオーディオプレイヤーのハードウェア構成を示すブロック図である。図５において、ポータブルオーディオプレイヤー４１０は、ＣＰＵ５０１、ＲＯＭ５０２、ＲＡＭ５０３、磁気ディスクドライブ５０４、磁気ディスク５０５、音声Ｉ／Ｆ（インターフェース）５０６、入力デバイス５０７、映像Ｉ／Ｆ５０８、ディスプレイ５０９、第１の通信Ｉ／Ｆ５１０ａ、第２の通信Ｉ／Ｆ５１０ｂを備えている。各構成部５０１〜５１０ｂは、バス５２０によってそれぞれ接続されている。【００４５】
まず、ＣＰＵ５０１は、ポータブルオーディオプレイヤー４１０の全体の制御を司る。ＲＯＭ５０２は、ブートプログラム、通信制御プログラムなどのプログラムを記録している。また、ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種プログラムを実行することによって、ポータブルオーディオプレイヤー４１０の全体の制御を司る。【００４６】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やメモリカードを用いることができる。磁気ディスク５０５に記録される情報の一例としては、楽曲データなどのコンテンツデータが挙げられる。【００４７】
なお、図示を省略するがポータブルオーディオプレイヤー４１０は、フラッシュメモリを備えていてもよい。フラッシュメモリは、書き換え自在な不揮発性半導体メモリであり、ＣＰＵ５０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した楽曲情報や、楽曲情報のうちのダイジェスト情報となる区間の情報や、楽曲情報に関する音声からなる情報が挙げられる。また、フラッシュメモリは、ＲＯＭ５０２としての機能を有していてもよい。すなわち、フラッシュメモリは、上述の各プログラムを記録していてもよい。【００４８】
音声Ｉ／Ｆ５０６は、音声出力用のヘッドホンやスピーカを接続するための端子などである。本実施例では、ポータブルオーディオプレイヤー４１０と音声出力装置４２０とは無線通信によって接続されるが、音声Ｉ／Ｆ５０６を介してケーブルなどを用いて接続することも可能である。【００４９】
入力デバイス５０７は、文字、数値、各種指示などの入力のための複数のキーを備えたリモコン、キーボード、タッチパネルなどが挙げられる。入力デバイス５０７は、リモコン、キーボード、タッチパネルのうちいずれか１つの形態によって実現されてもよいが、複数の形態によって実現することも可能である。【００５０】
映像Ｉ／Ｆ５０８は、ディスプレイ５０９に接続される。映像Ｉ／Ｆ５０８は、具体的には、たとえば、ディスプレイ５０９全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ５０９を制御する制御ＩＣなどによって構成される。【００５１】
ディスプレイ５０９には、アイコン、カーソル、メニュー、ウインドウ、あるいは文字や画像などの各種データが表示される。ディスプレイ５０９には、上述した楽曲情報に関する文字や画像の情報が描画されてもよい。ディスプレイ５０９としては、たとえば、液晶ディスプレイなどを用いることができる。【００５２】
第１の通信Ｉ／Ｆ５１０ａおよび第２の通信Ｉ／Ｆ５１０ｂは、たとえばＢｌｕｅｔｏｏｔｈ（登録商標）などの無線通信プロトコルを用いて、自装置の近傍にある音声出力装置４２０との間で無線通信をおこなう。ここで、第１の通信Ｉ／Ｆ５１０ａおよび第２の通信Ｉ／Ｆ５１０ｂの２つの通信Ｉ／Ｆは、それぞれ独立して異なる機器（具体的には音声出力装置４２０）と通信することができる。たとえば第１の通信Ｉ／Ｆ５１０ａでヘッドホン４２０ａと通信すると同時に、第２の通信Ｉ／Ｆ５１０ｂでスピーカ４２０ｂと通信することができる。また、たとえば第１の通信Ｉ／Ｆ５１０ａでヘッドホン４２０ａと通信している間であっても、第２の通信Ｉ／Ｆ５１０ｂは、その通信先が見つからない場合、通信可能な音声出力装置４２０の検出を試みる。これにより、ユーザが移動しても近傍にある音声出力装置４２０に対する音声データの出力を継続することができる。【００５３】
また、第１の通信Ｉ／Ｆ５１０ａおよび第２の通信Ｉ／Ｆ５１０ｂは、無線を介してインターネットなどの通信網に接続する。これにより、たとえばインターネット上のコンテンツサーバからコンテンツデータをダウンロードしたり、コンテンツデータのストリーミング配信を受けたりすることができる。なお、本実施例では２つの通信Ｉ／Ｆを設けることとしたが、３つ以上の通信Ｉ／Ｆを設けてもよいし、１つの通信Ｉ／Ｆによって上述した機能を実現してもよい。【００５４】
図１に示したコンテンツ送信装置１１０が備える送信部１１１、検出部１１２、検知部１１３、選択部１１４は、図５に示したポータブルオーディオプレイヤー４１０におけるＲＯＭ５０２、ＲＡＭ５０３、磁気ディスク５０５などに記録されたプログラムやデータを用いて、ＣＰＵ５０１が所定のプログラムを実行し、ポータブルオーディオプレイヤー４１０における各部を制御することによってその機能を実現する。【００５５】
（音声出力装置４２０のハードウェア構成）
つぎに、本音声出力装置４２０のハードウェア構成について説明する。図６は、音声出力装置のハードウェア構成を示すブロック図である。図６において、音声出力装置４２０は、ＣＰＵ６０１、ＲＯＭ６０２、ＲＡＭ６０３、音声Ｉ／Ｆ（インターフェース）６０４、スピーカ６０５、入力デバイス６０６、通信Ｉ／Ｆ６０７を備えている。各構成部６０１〜６０７は、バス６２０によってそれぞれ接続されている。【００５６】
まず、ＣＰＵ６０１は、音声出力装置４２０の全体の制御を司る。ＲＯＭ６０２は、ブートプログラム、音声制御プログラムなどのプログラムを記録している。また、ＲＡＭ６０３は、ＣＰＵ６０１のワークエリアとして使用される。すなわち、ＣＰＵ６０１は、ＲＡＭ６０３をワークエリアとして使用しながら、ＲＯＭ６０２に記録された各種プログラムを実行することによって、音声出力装置４２０の全体の制御を司る。【００５７】
音声Ｉ／Ｆ６０４は、音声出力用のスピーカ６０５に接続される。スピーカ６０５からは、所定の音声信号を音声Ｉ／Ｆ６０４内でＤ／Ａ変換した音声が出力される。また、音声Ｉ／Ｆ６０４は、たとえば利用者の右耳用および左耳用の２つのスピーカ６０５に接続されていてもよい。【００５８】
入力デバイス６０６は、利用者の指示の入力のためのボタン操作部、ダイヤル操作部、タッチパネルなどが挙げられる。入力デバイス６０６は、ボタン操作部、ダイヤル操作部、タッチパネルのうちいずれか１つの形態によって実現されてもよいが、複数の形態によって実現することも可能である。【００５９】
通信Ｉ／Ｆ６０７は、たとえばＢｌｕｅｔｏｏｔｈ（登録商標）などの無線通信プロトコルを用いて、自装置の近傍にあるポータブルオーディオプレイヤー４１０との間で無線通信をおこなう。音声出力装置４２０は、通信Ｉ／Ｆ６０７を介してポータブルオーディオプレイヤー４１０から音声データを受信して、音声Ｉ／Ｆ６０４を介してスピーカ６０５から音声出力する。【００６０】
また、通信Ｉ／Ｆ６０７は、ポータブルオーディオプレイヤー４１０から検知されるための発振信号を送信する。通信Ｉ／Ｆ６０７が送信する発振信号は、受信側の機器との間の距離が近いほど高い強度で検知される。なお、通信Ｉ／Ｆ６０７は、ポータブルオーディオプレイヤー４１０から音声データを受信している間も発振信号の送信を継続する。【００６１】
図１に示したコンテンツ出力装置１２０が備える発振部１２１、受信部１２２、出力部１２３は、図６に示した音声出力装置４２０におけるＲＯＭ６０２、ＲＡＭ６０３などに記録されたプログラムを用いて、ＣＰＵ６０１が所定のプログラムを実行し、音声出力装置４２０における各部を制御することによってその機能を実現する。【００６２】
（オーディオシステム４００による楽曲出力処理）
つぎに、オーディオシステム４００による楽曲出力処理について説明する。上述のように、オーディオシステム４００は、楽曲を出力する音声出力装置４２０を、ユーザの現在位置に合わせて自動的に切り替える。これにより、ユーザが移動しても途切れることなく楽曲の聴取を継続させることができる。【００６３】
図７は、ポータブルオーディオプレイヤーによる楽曲データ送信処理の手順を示すフローチャートである。図７のフローチャートにおいて、ポータブルオーディオプレイヤー４１０は、ユーザから楽曲の再生指示があるまで待機する（ステップＳ７０１：Ｎｏのループ）。楽曲の再生指示があると（ステップＳ７０１：Ｙｅｓ）、ポータブルオーディオプレイヤー４１０は、第１の通信Ｉ／Ｆ５１０ａおよび第２の通信Ｉ／Ｆ５１０ｂで、音声出力装置４２０からの発振信号を検出する（ステップＳ７０２）。【００６４】
発振信号を受信するまでは（ステップＳ７０３：Ｎｏ）、ステップＳ７０２に戻り、発振信号の検出を継続する。なお、ここでいう発振信号の受信とは、所定強度以上での発振信号の受信であり、近傍にある音声出力装置４２０を検出することを示す。第１の通信Ｉ／Ｆ５１０ａまたは第２の通信Ｉ／Ｆ５１０ｂで発振信号を受信すると（ステップＳ７０３：Ｙｅｓ）、ポータブルオーディオプレイヤー４１０は、受信した発振信号の発振元である音声出力装置４２０との間で認証処理をおこない（ステップＳ７０４）、発振信号を受信した通信Ｉ／Ｆを介して楽曲データを送信する（ステップＳ７０５）。なお、ステップＳ７０３において、第１の通信Ｉ／Ｆ５１０ａおよび第２の通信Ｉ／Ｆ５１０ｂがそれぞれ別個の音声出力装置４２０から発振信号を受信した場合は、それぞれの音声出力装置４２０との間で認証処理をおこない、それぞれの音声出力装置４２０に対して楽曲データを送信する。【００６５】
ポータブルオーディオプレイヤー４１０は、楽曲データの送信をおこなっていない通信Ｉ／Ｆがある場合（ステップＳ７０６：Ｙｅｓ）、その通信Ｉ／Ｆで他の音声出力装置４２０からの発振信号を検出する（ステップＳ７０７）。楽曲データの送信をおこなっていない通信Ｉ／Ｆがない場合は（ステップＳ７０６：Ｎｏ）、ステップＳ７１１に移行する。【００６６】
他の音声出力装置４２０からの発振信号を受信した場合は（ステップＳ７０８：Ｙｅｓ）、受信した発振信号の発振元である音声出力装置４２０（スピーカ４２０ｂ）との間で認証処理をおこない（ステップＳ７０９）、発振信号を受信した通信Ｉ／Ｆを介して楽曲データを送信する（ステップＳ７１０）。また、他の音声出力装置４２０からの発振信号を受信しない場合は（ステップＳ７０８：Ｎｏ）、ステップＳ７１３に移行する。【００６７】
ここで、第１の通信Ｉ／Ｆ５１０ａおよび第２の通信Ｉ／Ｆ５１０ｂから送信する楽曲データは同じデータである。すなわち、ポータブルオーディオプレイヤー４１０は、第１の通信Ｉ／Ｆ５１０ａおよび第２の通信Ｉ／Ｆ５１０ｂが楽曲データを送信する２つの音声出力装置４２０から同じ音声が同時に出力されるようにする。なお、ここでいう同じデータとは、２つの音声出力装置４２０から同じ音声が同時に出力されるように、音声出力装置４２０のそれぞれの特性に基づいて補正をおこなったデータを含むものとする。【００６８】
ポータブルオーディオプレイヤー４１０は、楽曲データを送信している間も送信先の音声出力装置４２０からの発振信号の受信を継続する。そして、いずれかの音声出力装置４２０からの発振信号の受信強度が所定強度以下になった場合（ステップＳ７１１：Ｙｅｓ）、所定強度以下になった音声出力装置４２０への楽曲データの送信を中止する（ステップＳ７１２）。発振信号の受信強度が低くなるということは、その音声出力装置４２０とポータブルオーディオプレイヤー４１０（すなわちユーザ）との距離が長くなっていることを示す。このため、ポータブルオーディオプレイヤー４１０は、その音声出力装置４２０への楽曲データの送信を中止し、消費電力を節約する。また、発振信号の受信強度が所定強度より強い場合は（ステップＳ７１１：Ｎｏ）、ステップＳ７１３に移行する。【００６９】
ポータブルオーディオプレイヤー４１０は、ユーザから楽曲の停止指示があるまでは（ステップＳ７１３：Ｎｏ）、楽曲データの送信を継続し（ステップＳ７１４）、ステップＳ７０６に戻り以降の処理を継続する。そして、楽曲の停止指示があった場合は（ステップＳ７１３：Ｙｅｓ）、第１の通信Ｉ／Ｆ５１０ａおよび第２の通信Ｉ／Ｆ５１０ｂからの楽曲データの送信を停止し（ステップＳ７１５）、本フローチャートによる処理を終了する。【００７０】
つぎに、音声出力装置４２０側の処理について説明する。図８は、音声出力装置による楽曲データ出力処理を示すフローチャートである。図８のフローチャートにおいて、音声出力装置４２０は、まず、ポータブルオーディオプレイヤー４１０から検出されるための発振信号の送信のみをおこなう待機状態にある（ステップＳ８０１）。音声出力装置４２０の近傍にポータブルオーディオプレイヤー４１０が近づくまで（ステップＳ８０２：Ｎｏ）、音声出力装置４２０は、ステップＳ８０１に戻り待機状態を継続する。【００７１】
音声出力装置４２０の近傍にポータブルオーディオプレイヤー４１０が近づくと（ステップＳ８０２：Ｙｅｓ）、音声出力装置４２０は、ポータブルオーディオプレイヤー４１０との間で認証処理をおこなう（ステップＳ８０３）。そして、ポータブルオーディオプレイヤー４１０から楽曲データを受信し（ステップＳ８０４）、受信した楽曲データを音声出力する（ステップＳ８０５）。なお、ポータブルオーディオプレイヤー４１０から音声データを受信している間も、発振信号の送信は継続している。【００７２】
音声出力装置４２０は、ポータブルオーディオプレイヤー４１０から楽曲データが送信されてくる間は（ステップＳ８０６：Ｙｅｓ）、ステップＳ８０５に戻り、楽曲データの音声出力を継続する。そして、ポータブルオーディオプレイヤー４１０から楽曲データが送信されなくなると（ステップＳ８０６：Ｎｏ）、発振信号の送信のみをおこなう待機状態に戻り（ステップＳ８０７）、本フローチャートによる処理を終了する。【００７３】
以上のような処理によりオーディオシステム４００は、楽曲を出力する音声出力装置４２０を、ユーザの現在位置に合わせて自動的に切り替える。これにより、ユーザが移動しても途切れることなく楽曲の聴取を継続させることができる。【００７４】
また、ユーザの現在位置によって、楽曲データを送信する音声出力装置４２０に優先順位を決めてもよい。たとえば、ユーザが自宅内にいる場合には、近傍にヘッドホン４２０ａがある場合でも自宅内に設置されたスピーカ４２０ｂにのみ楽曲データを送信するようにしてもよい。これにより、ポータブルオーディオプレイヤー４１０の消費電力を軽減するとともに、ヘッドホン４２０ａおよびスピーカ４２０ｂから出力される音声同士が干渉するのを防止することができる。【００７５】
図９は、ポータブルオーディオプレイヤーによる楽曲データ送信処理の他の手順を示すフローチャートである。図９のフローチャートは、ユーザが外出先から自宅に帰宅した場合の処理を示している。まず、ポータブルオーディオプレイヤー４１０は、外出先においてヘッドホン４２０ａに楽曲データを送信している（ステップＳ９０１）。ユーザが自宅内に入るまで（ステップＳ９０２：Ｎｏ）、ポータブルオーディオプレイヤー４１０は、ステップＳ９０１に戻りヘッドホン４２０ａへの楽曲データの送信を継続する。【００７６】
ユーザが自宅内に入ると（ステップＳ９０２：Ｙｅｓ）、ポータブルオーディオプレイヤー４１０は、自宅内に設置されたスピーカ４２０ｂからの発振信号を検出する（ステップＳ９０３）。発振信号を受信するまでは（ステップＳ９０４：Ｎｏ）、ステップＳ９０３に戻り、発振信号の検出を継続する。なお、自宅内に入ったか否かは、たとえば、自宅の玄関に設置された発振器の発振信号を受信したか否かによって判断する。【００７７】
第１の通信Ｉ／Ｆ５１０ａまたは第２の通信Ｉ／Ｆ５１０ｂで発振信号を受信すると（ステップＳ９０４：Ｙｅｓ）、ポータブルオーディオプレイヤー４１０は、受信した発振信号の発振元であるスピーカ４２０ｂとの間で認証処理をおこない（ステップＳ９０５）、発振信号を受信した通信Ｉ／Ｆを介して楽曲データを送信する（ステップＳ９０６）。なお、ステップＳ９０４において、第１の通信Ｉ／Ｆ５１０ａおよび第２の通信Ｉ／Ｆ５１０ｂがそれぞれ別個のスピーカ４２０ｂからの発振信号を受信した場合は、それぞれのスピーカ４２０ｂとの間で認証処理をおこない、それぞれのスピーカ４２０ｂに対して楽曲データを送信する。【００７８】
そして、ポータブルオーディオプレイヤー４１０は、ヘッドホン４２０ａへの楽曲データの送信を停止して（ステップＳ９０７）、本フローチャートによる処理を終了する。このように、ポータブルオーディオプレイヤー４１０の近傍にヘッドホン４２０ａがあっても、ユーザが自宅内にいる場合は自宅内に設置されているスピーカ４２０ｂにのみ楽曲データを送信するようにすれば、ポータブルオーディオプレイヤー４１０の消費電力を軽減するとともに、ヘッドホン４２０ａおよびスピーカ４２０ｂから出力される音声同士が干渉するのを防止することができる。同様に、ユーザが車両に乗車した場合にも、車両内のスピーカ４２０ｃにのみ楽曲データを出力するようにしてもよい。【００７９】
また、たとえば、自宅内においてもユーザの現在位置を検知して、ユーザがいる部屋のスピーカ４２０ｂのみから楽曲データを出力するようにしてもよい。たとえば、ユーザが部屋Ａから部屋Ｂに移動する場合、ユーザが部屋Ａにいる間は部屋Ａに設置されたスピーカ４２０ｂのみから音声を出力し、ユーザが廊下に移動した際は廊下に設置されたスピーカ４２０ｂのみから音声を出力し、ユーザが部屋Ｂに移動した際は部屋Ｂに設置されたスピーカ４２０ｂのみから音声を出力するようにしてもよい。【００８０】
この場合、ポータブルオーディオプレイヤー４１０は、たとえば、移動先に設置されたスピーカ４２０ｂをあらかじめ検出しておき、ユーザがそこに移動したことを検知してから楽曲データの送信を開始する。また、たとえば、移動先に設置されたスピーカ４２０ｂに対して、あらかじめ楽曲データの送信を開始しておき、スピーカ４２０側では、ユーザがその部屋に入ったことを検知してから楽曲データの出力を開始するようにしてもよい。また、各部屋に入ったか否かは、たとえば、各部屋の入り口に設置された発振器の発振信号を受信したか否かによって判断する。【００８１】
以上説明したように、オーディオシステム４００において、ポータブルオーディオプレイヤー４１０は、楽曲データの送信中においても近傍にある音声出力装置４２０を検出し、検出された音声出力装置４２０に対してコンテンツデータの送信をおこなう。これにより、ポータブルオーディオプレイヤー４１０（ユーザ）が移動しても、近傍にある音声出力装置４２０から楽曲データの出力を継続することができ、途切れることなくユーザに楽曲の試聴を継続させることができる。【００８２】
また、ポータブルオーディオプレイヤー４１０は、音声出力装置４２０から発信される信号を受信し、信号の受信強度が所定強度以下になった音声出力装置４２０への楽曲データの送信を停止する。これにより、ポータブルオーディオプレイヤー４１０からの距離が遠くなった音声出力装置４２０への楽曲データの送信を停止し、ポータブルオーディオプレイヤー４１０の消費電力を軽減することができる。【００８３】
また、ポータブルオーディオプレイヤー４１０は、自装置の現在位置の属性を検知し、現在位置に設置された音声出力装置４２０に対してのみ楽曲データを送信することができる。これにより、必要な音声出力装置４２０からのみ楽曲データが出力され、音声などの干渉を防止して、より快適な楽曲の聴取環境を提供することができる。また、ポータブルオーディオプレイヤー４１０や音声出力装置４２０の消費電力を低減することができる。【００８４】
なお、本実施の形態で説明した送信制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2010095264.tif 000003
【図２】
2010095264.tif 000004
【図３】
2010095264.tif 000005
【図４】
2010095264.tif 000006
【図５】
2010095264.tif 000007
【図６】
2010095264.tif 000008
【図７】
2010095264.tif 000009
【図８】
2010095264.tif 000010
【図９】
2010095264.tif 000011
【国際調査報告】
2010095264.tif 000012
2010095264.tif 000013